(57)【要約】      （修正有）【課題】１枚の手拭いを折り畳むことにより形成できる造花を提供する。【解決手段】矩形状の一枚の手拭いを、所定の形状に折り畳んで形成される造花１を形成する。上記造花１は、花弁部３と、この花弁部３の下方に延びる茎部４とを備えるとともに、上記造花の各部は、上記手拭いに設けた幅方向の境界によって区画される複数の領域から構成されており、上記各領域は、上記造花の各部に対応した模様及び／又は色彩を備えて構成されている。【選択図】図２
0003182273.tif 000002
【実用新案登録請求の範囲】
【請求項１】
矩形状の一枚の手拭いを、所定の形状に折り畳んで形成される造花であって、
上記造花は、花弁部と、この花弁部の下方に延びる茎部とを備えるとともに、
上記造花の各部は、上記手拭いに設けた幅方向の境界によって区画される複数の領域から構成されており、
上記各領域は、上記造花の各部に対応した模様及び／又は色彩を備えて構成されている、造花。
【請求項２】
上記花弁部の外周部に、包装紙部又はがく部を備えるとともに、
上記包装紙部又はがく部は、これに対応する模様及び／又は色彩を設けた手拭いの所定領域から形成されている、請求項１に記載の造花。
【請求項３】
上記茎部を保持するとともに上記造花を立設できるスタンドを備える、請求項１又は請求項２に記載の造花。
【請求項４】
上記スタンドは、矩形状のシートを幅方向に延びる折れ線に沿って折り曲げて構成されているとともに、
接地部と、
上記接地部の後縁部から上方に延出する後壁部と、
上記接地部の前縁部から斜め上方に延出して所定高さで上記後壁部に連結されるとともに、上記茎部を挿入保持できる開口部を設けた前壁部と、
上記後壁部と上記前壁部の連結部より上方に延出する背壁部とを備えて構成される、請求項１から請求項３のいずれか１項に記載の造花。
【請求項５】
上記背壁部の背面にメッセージ記載部が設けられているとともに、背壁部が切離し可能に設けられている、請求項１から請求項４のいずれか１項に記載の造花
【請求項６】
上記手拭いに、模様及び／又は色彩の異なる複数の花弁部領域を設け、
異なる種類の花弁が集合した花束形態を備える、請求項１から請求項５のいずれか１項に記載の造花。
【請求項７】
少なくとも上記造花の花弁部を覆うとともに、
開口することにより、上記花弁部を露出させることができるカバーを備える、請求項１から請求６のいずれか１項に記載の造花。
【請求項８】
請求項１から請求項７に記載の造花を形成する手拭いであって、
上記造花の各部を構成する領域が、矩形状手拭いの幅方向に延びる境界を介して長手方向に配列されている、手拭い。
【請求項９】
上記領域が、少なくとも、花弁部領域と茎部領域とを備えて構成されている、請求項８に記載の手拭い。
【請求項１０】
上記花弁部の外周に位置するがく部を構成するがく部領域を備える、請求項９に記載の手拭い。
【請求項１１】
上記手拭いが、日本手拭いである、請求項８から請求項１０のいずれか１項に記載の手拭い。
【考案の詳細な説明】
【技術分野】
【０００１】
本願考案は、造花に関する。詳しくは、一枚の手拭いを折り畳むことにより形成される造花に関する。
【背景技術】
【０００２】
たとえば、手拭いは、汗や、顔や手を洗った後の水を拭ったり、入浴の際に体を洗ったりするために用いられる。日本手拭いは、木綿の平織りの布から形成されており、矩形状に形成されている。
【０００３】
手拭いと同様の用途に用いられるタオルは、表明に糸が飛び出すように織られたタオル地から形成されており、手拭いより大きな厚みを備えている。
【０００４】
手拭いの表面は、タオルに比べて平滑であるため、微細な絵柄や模様を描くことが可能である。このため、タオルと同様の実用的な用途の他に、一種の美術工芸品として取り扱われる場合もある。
【先行技術文献】
【特許文献】
【０００５】
【特許文献１】実用新案登録第３１３０３７１号公報
【考案の開示】
【考案が解決しようとする課題】
【０００６】
上記特許文献１は、花の形に折り畳んだタオルに関するものである。上記特許文献では、四角いタオルに加工を加え、花のかたちに折り曲げてプレゼントとして使用したり、鑑賞用に用いたりできるように構成している。
【０００７】
上述したように、タオルを構成するタオル地は、糸の一部が表面に突出しているため、表面に精緻な模様や絵柄を描くことは困難である。このため、主としてその外観形状を花の形に折り畳むだけのものが多く、見栄えを高めるには、色彩の異なる複数のタオルから形成された花を組み合わせる場合が多い。また、タオル地は本物の花弁に比べて厚みが大きいため、細かな折り畳み手法を採用することもできない。このため、タオル地では、鑑賞用としての造花を製作するのは困難である。
【０００８】
病院の入院患者を和ませるために生花を贈ることが考えられるが、花粉の影響あるいは衛生面において好ましくない場合も多い。また、入院期間は限定されるため、一般的な造花を贈ることも好ましくない。一方、タオル等の消耗品は、入院後にも必要であり、見舞い用の贈答品として喜ばれる。ところが、タオルや手拭いの詰め合わせを贈った場合、嵩張ることが多く、入院生活中には邪魔になる場合も多い。
【０００９】
本願考案は、上記従来の問題を解決し、手拭いを用いて、これまでにない造花を形成することをその課題としている。
【課題を解決するための手段】
【００１０】
本願考案は、矩形状の一枚の手拭いを、所定の形状に折り畳んで形成される造花に関するものである。上記造花は、花弁部と、この花弁の下方に延びる茎部とを備えるとともに、上記造花の各部は、上記手拭いに設けた幅方向の境界によって区画される複数の領域から構成されている。また、上記各領域は、上記造花の各部に対応した模様及び／又は色彩を備えて構成されている。
【００１１】
本願考案は、生地を折り畳んで花の形状を有するのみならず、生地自体に造花の各部に対応した模様及び／又は色彩を備えて構成したものである。すなわち、折り畳まれた手拭いは、花の外観形状を備えるのみならず、花の各部に対応する模様及び／又は色彩を備えている。このため、従来のタオル等を折り畳んで形成された造花に比べてより美的な形態を備える造花を形成することができる。しかも、一枚の手拭いでカラフルな造花を得ることができる。
【００１２】
また、手拭いの生地はタオル地に比べて薄いため、精緻な模様及び／又は色彩を付加することができるばかりでなく、細かな折り畳み手法を採用することも可能となる。このため、タオルから形成される造花に比べて美的効果の高い造花を得ることができる。
【００１３】
しかも、本願考案では、造花を形成するための手拭い生地に設けられる模様及び／又は色彩は、上記手拭いに設けた幅方向の境界によって区画される複数の領域から構成されている。すなわち、本願考案に係る手拭いの絵柄の全体構成は、異なる模様及び／又は色彩を、生地の長手方向に所定幅で配列したものであり、手拭いの絵柄構成としても奇異なものではない。このため、折り畳んで造花を構成した場合には、上記模様及び／又は色彩が造花に美的効果を与えるとともに、展開して手拭いとして用いる場合においても、上記模様及び／又は色彩が手拭い自体に美的効果を与えるという二重の美的効果を備えるとともに、造花を展開した際の意外性も備えているのである。
【００１４】
本願考案に係る造花は、花弁部と、この花弁部の下方に延びる茎部とを備えて構成される。また、これら各部は、上述したように、矩形状手拭いの長手方向に所定幅で形成された各領域から構成される。
【００１５】
上記花弁部は、一つの花に対応した形態に構成することができる。また、上記手拭いに、模様及び／又は色彩の異なる複数の花弁部領域を設け、異なる種類の花弁が集合した花束形態となるように構成することもできる。上記花弁部の外周部に、包装紙部又はがく部を設けることができる。上記茎部は、所定長さを備えて構成されており、紐やバンドによって結束することにより、所定の形態が保持されるように構成するのが望ましい。
【００１６】
本願考案では、上記茎部を保持するとともに上記造花を立設できるスタンドを備えて構成するのが望ましい。上記スタンドを付加することにより、上記造花をテーブル上に立てた状態で載置することが可能となり、贈り物に好適な造花を構成することができる。
【００１７】
たとえば、上記スタンドを、矩形状のシートを幅方向に延びる折れ線に沿って折り曲げて構成するとともに、接地部と、上記接地部の後縁部から上方に延出する後壁部と、上記接地部の前縁部から斜め上方に延出して所定高さで上記後壁部に連結されるとともに、上記茎部を挿入保持できる開口部を設けた前壁部と、上記後壁部と上記前壁部の連結部より上方に延出する背壁部とを備えて構成することができる。
【００１８】
上記形態のスタンドは、長尺状の板紙等を幅方向に延びる折り曲げ線で折り曲げることにより形成することができるため、製造が容易であり、製造コストも低い。上記接地部と上記後壁部と上記前壁部とを平面で形成し、上記スタンドを側面視三角形状に形成することもできるし、上記前壁部に湾曲をつけた形態を採用することもできる。上記前壁部に設けた開口部に造花の茎部を挿入することにより、上記造花を立設して飾ることができる。
【００１９】
上記スタンドに立設した造花を持ち運んだり移動させるために、上記後壁部と上記前壁部の連結部より上方に延出する背壁部が設けられる。手指やフックに掛止できるように、上記背壁部に掛止開口部を設けるのが好ましい。
【００２０】
上記造花は、贈り物として使用されることも多い。このため、上記背壁部の背面に、種々のメッセージを記載できるメッセージ記載部を設けることができる。さらに、上記背壁部を切離し可能に設けることにより、上記背壁部をメッセージカードとして利用することも可能となる。切離し手法は特に限定されることはないが、ミシン穴等を設けることにより容易に切離し可能とすることががきる。
【００２１】
上記造花をそのまま店頭に展示した場合、埃等が付着する恐れがある。このため、少なくとも上記造花の花弁部を覆うとともに、開口することにより上記花弁部を露出させることができるカバーを備えて構成するのが好ましい。たとえば、少なくとも、花弁部を透視できる半透明の不織布やプラスチックフィルムによって覆うとともに、このカバーの前面にミシン穴等を設けて開口し、花弁部を露出させるように構成することができる。
【考案の効果】
【００２２】
手拭いから、これまでにない美的な外観を有する造花を形成することができる。
【図面の簡単な説明】
【００２３】
【図１】本願考案に係る造花をスタンドに立設した状態を示す正面図である。
【図２】図１に示す造花の側面図である。
【図３】図１に示す造花を製作するための手拭いの構成を示す平面図である。
【図４】図３に示す手拭いから造花を製作する手法を示す図である。
【図５】図３に示す手拭いから造花を製作する手法を示す図である。
【図６】図３に示す手拭いから造花を製作する手法を示す図である。
【図７】図３に示す手拭いから造花を製作する手法を示す図である。
【図８】図３に示す手拭いから造花を製作する手法を示す図である。
【図９】図３に示す手拭いから造花を製作する手法を示す図である。
【図１０】図３に示す手拭いから造花を製作する手法を示す図である。
【図１１】図３に示す手拭いから造花を製作する手法を示す図である。
【図１２】図３に示す手拭いから造花を製作する手法を示す図である。
【図１３】図３に示す手拭いから造花を製作する手法を示す図である。
【図１４】図３に示す手拭いから造花を製作する手法を示す図である。
【図１５】図３に示す手拭いから造花を製作する手法を示す図である。
【図１６】図３に示す手拭いから造花を製作する手法を示す図である。
【図１７】造花本体の全体図である。
【図１８】スタンドの全体斜視図である。
【図１９】図１８におけるＸＩＸ−ＸＩＸ線に沿う要部拡大断面図である。
【考案を実施するための形態】
【００２４】
以下、本願考案の実施形態を図に基づいて具体的に説明する。
【００２５】
図１に、本実施形態に係る造花１を示す。図１に示す実施形態では、スタンド２に造花１を立設した例を示す。
【００２６】
図１及び図２に示すように、造花１は、花弁部３と茎部４とを備えて構成されている。また、これらの図には現れていないが、上記花弁部３には、植物の花弁を表す模様及び／又は色彩が付されている。また、上記茎部４には、植物の茎を表す模様及び／又は色彩が付されている。さらに、本実施形態では、上記花弁部３の最外周部には、花弁部３をくるむように包装用紙部５が設けられており、包装用紙に対応した模様及び／又は色彩が付されている。
【００２７】
上記スタンド２は、図１８及び図１９に示すように、短冊状の板紙シート２００を幅方向に延びる複数の折れ線に沿って折り曲げて構成されているとともに、接地部６と、上記接地部６の後縁部から上方に延出する後壁部７と、上記接地部６の前縁部から斜め上方に延出して所定高さで上記後壁部７に連結されるとともに、上記茎部４を挿入保持できる開口部８を設けた前壁部９と、上記後壁部７と上記前壁部９の連結部より上方に延出する背壁部１０とを備えて構成されている。
【００２８】
上記前壁部９には、花瓶状の絵柄が描かれており、花瓶の口に相当する部分に開口部８が形成されている。本実施形態では、図１９に示すように、上記前壁部９及び上記後壁部７の双方を延長させることにより前方背壁部１０ａと後方背壁部１０ｂとを設け、これらを積層して背壁部１０が形成されている。
【００２９】
上記後壁部７と上記前壁部９とは、上記前方背壁部１０ａの下縁から上記開口部８に延出する延出片１１を、上記後壁部７に設けたスリット１２及び１３に差し込むことにより連結されている。また、上記背壁部１０の上部には、上記前方背壁部１０ａ及び上記後方背壁部１０ｂを連通開口することにより、掛止開口部１２が設けられている。上記前方背壁部１０ａにおける上記掛止開口部１２の下縁から延出させた延出部１３を、上記後方背壁部１０ｂにおける上記掛止開口部１２の下縁から延出させた延出部１４に設けたスリット１５に挿入することにより、上記前方背壁部１０ａと上記後方背壁部１０ｂとが積層して連結されている。
【００３０】
上記スタンド２は、一枚の短冊状板紙を折り曲げて形成されるため、組立が容易であるとともに、製造コストを低減させることができる。
【００３１】
上記背壁部１０の背面１６には、図示しないメッセージ記載部１７が設けられており、贈答品等として用いる場合、種々のメッセージを記載することができるように構成されている。また、上記背壁部１０の下縁近傍には、ミシン穴１８が形成されており、上記メッセージ記載部１７を含む背壁部１０を、切り離すことができるように構成されている。これにより、上記背壁部１０をメッセージカードとして利用することもできる。一方、上記背壁部１０を切り離すことにより、スタンド２を安定性が高まる。
【００３２】
図３から図１７に基づいて、上記造花１の形成方法を説明する。
【００３３】
本実施形態に係る造花１を構成する手拭い２０は、縦寸法９１ｃｍ、横寸法３７ｃｍの矩形状の木綿平織り生地から形成されている。また、図３に示すように、手拭い２０は、造花１の各部に対応する模様及び／又は色彩が描かれた複数の領域２１，２２，２３，２４，２５を備えて構成されている。上記各領域は、上記手拭い２０の幅方向に延びる境界３１ａ，３１ｂ，３１ｃ，３１ｄを介して、長手方向に所定幅で配列されている。上記領域は、花弁部３を構成するとともに生花の花弁に対応する模様及び／又は色彩が描かれた第１の花弁部領域２１、第２の花弁部領域２２及び第３の花弁部領域２５と、上記茎部４を構成するとともに生花の茎に対応する模様及び／又は色彩が描かれた茎部領域２３と、花弁部の外周に配置される包装紙に対応する模様及び／又は色彩が描かれた包装紙領域２４とが長手方向に配列されている。なお、各領域の境界は、境界線や、模様及び／又は色彩の明確な境界が存在する必要はなく、模様及び／又は色彩が連続的に変化する遷移部分として認識できるものであればよい。
【００３４】
上記各領域に描かれる模様及び／又は色彩は特に限定されることはなく、必ずしも実際の生花に対応していなくともよい。たとえば、抽象化した花の形態に対応するように描かれていてもよい。さらに、各領域に、異なる模様及び／又は色彩を設けて、造花とした場合に各部の模様及び／又は色彩の相異に基づき美的な効果を有するものであってもよい。上記模様及び／又は色彩を設ける手法も特に限定されることはなく、プリント印刷手法、注染、手捺染等の種々の手法を採用できる。なお、本実施形態では、表裏に同じ模様が付された注染手法により、模様及び／又は色彩が描かれている。
【００３５】
図４から図１７に、上記構成の手拭い２０を折り畳んで造花１を製作する手法を説明する。まず、図４に示すように、端部に形成された第１の花弁領域２１を、端部から約２０ｃｍの位置に設定された境界線３１ａで手前側に折り曲げて重ねる。なお、上記境界線３１ａは、各領域の境界部分に設定した仮想の境界線である。以下の説明における境界線も同様の意味で用いられる。次に、図５に示すように、手拭い２０の上縁部２０ａから約８ｃｍの所を持ち上げ、上記境界線３１ａに向かって折り重ねる。このとき、上記境界線３１ａから１．５ｃｍ下側に折り曲げ線３２が位置するように折り曲げる。上記折り曲げ線の意味も、上記境界線と同様に、折り曲げ基準として仮想的に設定したものである。
【００３６】
次に、図６に示すように、下縁部２０ｂから約６ｃｍの位置に折り曲げ線３３を設定して手前側に折り畳む。そして、図７に示すように、上記折り曲げ線３３を、上方の折り曲げ線３２に向かって折り畳む。このとき、上記折り曲げ線３３が、上記折り曲げ線３２より０．８〜１．０ｃｍ下側に位置するように折り畳む。
【００３７】
次に、上記工程によって折り曲げられた下方の折り曲げ線３４から上方へ２１ｃｍの所を持ち上げて、上方の折り曲げ線３２に向かって折り曲げる。この時、上記持ち上げて折り曲げられる折り曲げ線３５が、上方の折り曲げ線３３から０．８〜１．０ｃｍ下側に位置するように折り曲げる。
【００３８】
さらに、図９及び図１０に示すように、上記工程において生じた下方の折り曲げ線３６を、上方の折り曲げ線３５に向かって折り畳む。このとき、上記折り曲げ線３６が、上方の折り曲げ線３５から１ｃｍ下側に位置するように折り曲げる。これにより、図１１に示す折り畳み体４０が形成される。上記折り畳み体４０は、長手方向寸法が手拭い生地の幅３７ｃｍとなり、高さが約１８ｃｍとなる。
【００３９】
次に、図１１に示す所定間隔で複数の折り畳み線４１を設定し、図１２（ａ）（ｂ）に示すように、上記折り畳み体４０を、手拭いの幅方向に蛇腹状に折り畳む。上記蛇腹の折り畳み線４１は、約２．５ｃｍ間隔に設定される。これにより、図１２（ｂ）に示す蛇腹状の折り畳み体５０が形成される。
【００４０】
次に、図１３（ａ）に示すように、図１２において蛇腹状に折り畳まれた折り畳み体５０の下方を束ねるように持ち、図１３（ｂ）及び図１３（ｃ）に示すように、蛇腹の左右の端部を展開して、折り畳み体５０をくるむようにそれぞれの端部を重ねて巻き付ける。その後、図１４に示すように、上記茎部４の下かちらＨ＝８ｃｍのところをリボンで結束する。この場合、結び目が、図１の示すスタンド２に立設した場合に、造花の背面側となるように設定するのが望ましい。なお、上記結束部位は１箇所に限定されることはなく、複数箇所で結束してもよい。
【００４１】
次に、図１４及び図１５に示すように、上記折り畳み体５０の上方の右側端部□（白抜き四角部分）と左側端部■（黒塗り四角部分）とを重合わせ、クリップで留める。クリップで留める部分は、最外周側から３層目までを留めるのが好ましい。
【００４２】
次に、図１６に示すように、上方の段付き折り畳み部分を、花の外観形態となるように立体的に整形する。その後、茎部の下端部から約４ｃｍの所をリボンで結束する。
【００４３】
これにより、図１７に示す立体的な花弁部３及び茎部４を備える造花が形成ささる。また、本実施形態では、花弁部３の最外周部を包装紙部５として構成している。
【００４４】
上記造花１の茎部４を、上述したスタンド２の開口部８に挿入して、図１に示すスタンド２を備える造花１が形成される。
【００４５】
本実施形態に係る造花１は、一枚の手拭い２０を折り畳んで花の外観形状が構成されるのみならず、花の各部に対応する模様及び／又は色彩を備えている。このため、従来のタオル等を折り畳んで形成された造花に比べてより美的な形態を備える造花を形成することができる。しかも、一枚の手拭いのみでカラフルな造花を得ることもできる。
【００４６】
また、手拭いの生地はタオル地に比べて薄いため、精緻な模様及び／又は色彩を付加することができるばかりでなく、精度高く折り畳むことができる。このため、タオルから形成される造花に比べて美的効果の高い造花を得ることができる。
【００４７】
しかも、本実施形態では、造花を形成するための手拭い生地２０に形成される模様及び／又は色彩は、上記手拭い２０に設けた幅方向の境界３１ａ〜３１ｄによって区画される複数の領域２１，２２．２３，２４．２５から構成されている。すなわち、本実施形態に係る手拭いの絵柄の全体構成は、異なる模様及び／又は色彩を、生地の長手方向に所定幅で配列したものであり、手拭いの絵柄構成としても特異なものではない。このため、折り畳んで造花を構成した場合には、上記模様及び／又は色彩が造花に美的効果を与えるとともに、展開して手拭いとして用いる場合においても、上記模様及び／又は色彩が手拭い自体に美的効果を与えることができる。
【００４８】
また、本実施形態では、上記茎部４を保持するとともに上記造花を立設できるスタンド２を備えて構成している。上記スタンドを付加することにより、上記造花１をテーブル上に立てた状態で載置することが可能となり、贈り物等に好適な造花を構成することができる。
【００４９】
しかも、上記スタンドは、長尺状の板紙を幅方向に延びる折り曲げ線で折り曲げることにより形成されている。このため、製造が容易であり、製造コストも低い。
【００５０】
本願考案は、上述した実施形態に限定されることはない。実施形態で説明した折り曲げ手法は、基本的なものであって、手拭いの寸法や折り曲げ方は、適宜変更することができる。
【００５１】
また、実施形態では、一つの造花を構成する例を示したが、折り畳み手法や、手拭いの模様及び／又は色彩を変更することによって、模様や色彩の異なる複数の花弁部からなる花束形態の造花を形成することができる。また、実施形態では、花弁部の最外周部を包装紙として構成したが、がく部として構成することもできる。
【００５２】
また、実施形態では、スタンドを備える造花を形成したが、ススタンド２を備えない造花であっても所要の効果を得ることができる。さらに、少なくとも上記造花の花弁部を覆うとともに、開口することにより上記花弁部を露出させることができるカバーを備えて構成することもできる。
【産業上の利用可能性】
【００５３】
手拭いを用いて従来にない造花を形成することができる。
【符号の説明】
【００５４】
１    造花
３    花弁部
４    茎部
５    包装紙部
２０    手拭い
【図１】
0003182273.tif 000003
【図２】
0003182273.tif 000004
【図３】
0003182273.tif 000005
【図４】
0003182273.tif 000006
【図５】
0003182273.tif 000007
【図６】
0003182273.tif 000008
【図７】
0003182273.tif 000009
【図８】
0003182273.tif 000010
【図９】
0003182273.tif 000011
【図１０】
0003182273.tif 000012
【図１１】
0003182273.tif 000013
【図１８】
0003182273.tif 000014
【図１９】
0003182273.tif 000015
【図１２】
0003182273.tif 000016
【図１３】
0003182273.tif 000017
【図１４】
0003182273.tif 000018
【図１５】
0003182273.tif 000019
【図１６】
0003182273.tif 000020
【図１７】
0003182273.tif 000021
【手続補正書】
【提出日】平成24年10月10日(2012.10.10)
【手続補正２】
【補正対象書類名】実用新案登録請求の範囲
【補正対象項目名】全文
【補正方法】変更
【補正の内容】
【実用新案登録請求の範囲】
【請求項１】
矩形状の一枚の手拭いを、所定の形状に折り畳んで形成される造花であって、
上記造花は、花弁部と、この花弁部の下方に延びる茎部とを備えるとともに、
上記造花の各部は、上記手拭いに設けた幅方向の境界によって区画される複数の領域から構成されており、
上記各領域は、上記造花の各部に対応した模様及び／又は色彩を備えて構成されている、造花。
【請求項２】
上記花弁部の外周部に、包装紙部又はがく部を備えるとともに、
上記包装紙部又はがく部は、これに対応する模様及び／又は色彩を設けた手拭いの所定領域から形成されている、請求項１に記載の造花。
【請求項３】
上記茎部を保持するとともに上記造花を立設できるスタンドを備える、請求項１又は請求項２に記載の造花。
【請求項４】
上記スタンドは、矩形状のシートを幅方向に延びる折れ線に沿って折り曲げて構成されているとともに、
接地部と、
上記接地部の後縁部から上方に延出する後壁部と、
上記接地部の前縁部から斜め上方に延出して所定高さで上記後壁部に連結されるとともに、上記茎部を挿入保持できる開口部を設けた前壁部と、
上記後壁部と上記前壁部の連結部より上方に延出する背壁部とを備えて構成される、請求項１から請求項３のいずれか１項に記載の造花。
【請求項５】
上記背壁部の背面にメッセージ記載部が設けられているとともに、背壁部が切離し可能に設けられている、請求項１から請求項４のいずれか１項に記載の造花
【請求項６】
上記手拭いに、模様及び／又は色彩の異なる複数の花弁部領域を設け、
異なる種類の花弁が集合した花束形態を備える、請求項１から請求項５のいずれか１項に記載の造花。
【請求項７】
少なくとも上記造花の花弁部を覆うとともに、
開口することにより、上記花弁部を露出させることができるカバーを備える、請求項１から請求６のいずれか１項に記載の造花。
【請求項８】
請求項１から請求項７に記載の造花を形成する手拭いであって、
上記造花の各部を構成する領域が、矩形状手拭いの幅方向に延びる境界を介して長手方向に配列されている、手拭い。
【請求項９】
上記領域が、少なくとも、花弁部領域と茎部領域とを備えて構成されている、請求項８に記載の手拭い。
【請求項１０】
上記花弁部の外周に位置するとともに、がく部を構成するがく部領域、又は包装紙を構成する包装紙部を備える、請求項９に記載の手拭い。
【請求項１１】
上記手拭いが、日本手拭いである、請求項８から請求項１０のいずれか１項に記載の手拭い。
【手続補正３】
【補正対象書類名】明細書
【補正対象項目名】全文
【補正方法】変更
【補正の内容】
【考案の詳細な説明】
【技術分野】
【０００１】
本願考案は、造花に関する。詳しくは、一枚の手拭いを折り畳むことにより形成される造花に関する。
【背景技術】
【０００２】
たとえば、手拭いは、汗や、顔や手を洗った後の水を拭ったり、入浴の際に体を洗ったりするために用いられる。日本手拭いは、木綿の平織りの布から形成されており、矩形状に形成されている。
【０００３】
手拭いと同様の用途に用いられるタオルは、表明に糸が飛び出すように織られたタオル地から形成されており、手拭いより大きな厚みを備えている。
【０００４】
手拭いの表面は、タオルに比べて平滑であるため、微細な絵柄や模様を描くことが可能である。このため、タオルと同様の実用的な用途の他に、一種の美術工芸品として取り扱われる場合もある。
【先行技術文献】
【特許文献】
【０００５】
【特許文献１】実用新案登録第３１３０３７１号公報
【考案の開示】
【考案が解決しようとする課題】
【０００６】
上記特許文献１は、花の形に折り畳んだタオルに関するものである。上記特許文献では、四角いタオルに加工を加え、花のかたちに折り曲げてプレゼントとして使用したり、鑑賞用に用いたりできるように構成している。
【０００７】
上述したように、タオルを構成するタオル地は、糸の一部が表面に突出しているため、表面に精緻な模様や絵柄を描くことは困難である。このため、主としてその外観形状を花の形に折り畳むだけのものが多く、見栄えを高めるには、色彩の異なる複数のタオルから形成された花を組み合わせる場合が多い。また、タオル地は本物の花弁に比べて厚みが大きいため、細かな折り畳み手法を採用することもできない。このため、タオル地では、鑑賞用としての造花を製作するのは困難である。
【０００８】
病院の入院患者を和ませるために生花を贈ることが考えられるが、花粉の影響あるいは衛生面において好ましくない場合も多い。また、入院期間は限定されるため、一般的な造花を贈ることも好ましくない。一方、タオル等の消耗品は、入院後にも必要であり、見舞い用の贈答品として喜ばれる。ところが、タオルや手拭いの詰め合わせを贈った場合、嵩張ることが多く、入院生活中には邪魔になる場合も多い。
【０００９】
本願考案は、上記従来の問題を解決し、手拭いを用いて、これまでにない造花を形成することをその課題としている。
【課題を解決するための手段】
【００１０】
本願考案は、矩形状の一枚の手拭いを、所定の形状に折り畳んで形成される造花に関するものである。上記造花は、花弁部と、この花弁の下方に延びる茎部とを備えるとともに、上記造花の各部は、上記手拭いに設けた幅方向の境界によって区画される複数の領域から構成されている。また、上記各領域は、上記造花の各部に対応した模様及び／又は色彩を備えて構成されている。
【００１１】
本願考案は、生地を折り畳んで花の形状を有するのみならず、生地自体に造花の各部に対応した模様及び／又は色彩を備えて構成したものである。すなわち、折り畳まれた手拭いは、花の外観形状を備えるのみならず、花の各部に対応する模様及び／又は色彩を備えている。このため、従来のタオル等を折り畳んで形成された造花に比べてより美的な形態を備える造花を形成することができる。しかも、一枚の手拭いでカラフルな造花を得ることができる。
【００１２】
また、手拭いの生地はタオル地に比べて薄いため、精緻な模様及び／又は色彩を付加することができるばかりでなく、細かな折り畳み手法を採用することも可能となる。このため、タオルから形成される造花に比べて美的効果の高い造花を得ることができる。
【００１３】
しかも、本願考案では、造花を形成するための手拭い生地に設けられる模様及び／又は色彩は、上記手拭いに設けた幅方向の境界によって区画される複数の領域から構成されている。すなわち、本願考案に係る手拭いの絵柄の全体構成は、異なる模様及び／又は色彩を、生地の長手方向に所定幅で配列したものであり、手拭いの絵柄構成としても奇異なものではない。このため、折り畳んで造花を構成した場合には、上記模様及び／又は色彩が造花に美的効果を与えるとともに、展開して手拭いとして用いる場合においても、上記模様及び／又は色彩が手拭い自体に美的効果を与えるという二重の美的効果を備えるとともに、造花を展開した際の意外性も備えているのである。
【００１４】
本願考案に係る造花は、花弁部と、この花弁部の下方に延びる茎部とを備えて構成される。また、これら各部は、上述したように、矩形状手拭いの長手方向に所定幅で形成された各領域から構成される。
【００１５】
上記花弁部は、一つの花に対応した形態に構成することができる。また、上記手拭いに、模様及び／又は色彩の異なる複数の花弁部領域を設け、異なる種類の花弁が集合した花束形態となるように構成することもできる。上記花弁部の外周部に、包装紙部又はがく部を設けることができる。上記茎部は、所定長さを備えて構成されており、紐やバンドによって結束することにより、所定の形態が保持されるように構成するのが望ましい。
【００１６】
本願考案では、上記茎部を保持するとともに上記造花を立設できるスタンドを備えて構成するのが望ましい。上記スタンドを付加することにより、上記造花をテーブル上に立てた状態で載置することが可能となり、贈り物に好適な造花を構成することができる。
【００１７】
たとえば、上記スタンドを、矩形状のシートを幅方向に延びる折れ線に沿って折り曲げて構成するとともに、接地部と、上記接地部の後縁部から上方に延出する後壁部と、上記接地部の前縁部から斜め上方に延出して所定高さで上記後壁部に連結されるとともに、上記茎部を挿入保持できる開口部を設けた前壁部と、上記後壁部と上記前壁部の連結部より上方に延出する背壁部とを備えて構成することができる。
【００１８】
上記形態のスタンドは、長尺状の板紙等を幅方向に延びる折り曲げ線で折り曲げることにより形成することができるため、製造が容易であり、製造コストも低い。上記接地部と上記後壁部と上記前壁部とを平面で形成し、上記スタンドを側面視三角形状に形成することもできるし、上記前壁部に湾曲をつけた形態を採用することもできる。上記前壁部に設けた開口部に造花の茎部を挿入することにより、上記造花を立設して飾ることができる。
【００１９】
上記スタンドに立設した造花を持ち運んだり移動させるために、上記後壁部と上記前壁部の連結部より上方に延出する背壁部が設けられる。手指やフックに掛止できるように、上記背壁部に掛止開口部を設けるのが好ましい。
【００２０】
上記造花は、贈り物として使用されることも多い。このため、上記背壁部の背面に、種々のメッセージを記載できるメッセージ記載部を設けることができる。さらに、上記背壁部を切離し可能に設けることにより、上記背壁部をメッセージカードとして利用することも可能となる。切離し手法は特に限定されることはないが、ミシン穴等を設けることにより容易に切離し可能とすることができる。
【００２１】
上記造花をそのまま店頭に展示した場合、埃等が付着する恐れがある。このため、少なくとも上記造花の花弁部を覆うとともに、開口することにより上記花弁部を露出させることができるカバーを備えて構成するのが好ましい。たとえば、少なくとも、花弁部を透視できる半透明の不織布やプラスチックフィルムによって覆うとともに、このカバーの前面にミシン穴等を設けて開口し、花弁部を露出させるように構成することができる。
【考案の効果】
【００２２】
手拭いから、これまでにない美的な外観を有する造花を形成することができる。
【図面の簡単な説明】
【００２３】
【図１】本願考案に係る造花をスタンドに立設した状態を示す正面図である。
【図２】図１に示す造花の側面図である。
【図３】図１に示す造花を製作するための手拭いの構成を示す平面図である。
【図４】図３に示す手拭いから造花を製作する手法を示す図である。
【図５】図３に示す手拭いから造花を製作する手法を示す図である。
【図６】図３に示す手拭いから造花を製作する手法を示す図である。
【図７】図３に示す手拭いから造花を製作する手法を示す図である。
【図８】図３に示す手拭いから造花を製作する手法を示す図である。
【図９】図３に示す手拭いから造花を製作する手法を示す図である。
【図１０】図３に示す手拭いから造花を製作する手法を示す図である。
【図１１】図３に示す手拭いから造花を製作する手法を示す図である。
【図１２】図３に示す手拭いから造花を製作する手法を示す図である。
【図１３】図３に示す手拭いから造花を製作する手法を示す図である。
【図１４】図３に示す手拭いから造花を製作する手法を示す図である。
【図１５】図３に示す手拭いから造花を製作する手法を示す図である。
【図１６】図３に示す手拭いから造花を製作する手法を示す図である。
【図１７】造花本体の全体図である。
【図１８】スタンドの全体斜視図である。
【図１９】図１８におけるＸＩＸ−ＸＩＸ線に沿う要部拡大断面図である。
【考案を実施するための形態】
【００２４】
以下、本願考案の実施形態を図に基づいて具体的に説明する。
【００２５】
図１に、本実施形態に係る造花１を示す。図１に示す実施形態では、スタンド２に造花１を立設した例を示す。
【００２６】
図１及び図２に示すように、造花１は、花弁部３と茎部４とを備えて構成されている。また、これらの図には現れていないが、上記花弁部３には、植物の花弁を表す模様及び／又は色彩が付されている。また、上記茎部４には、植物の茎を表す模様及び／又は色彩が付されている。さらに、本実施形態では、上記花弁部３の最外周部には、花弁部３をくるむように包装紙部５が設けられており、包装紙に対応した模様及び／又は色彩が付されている。
【００２７】
上記スタンド２は、図１８及び図１９に示すように、短冊状の板紙シート２００を幅方向に延びる複数の折れ線に沿って折り曲げて構成されているとともに、接地部６と、上記接地部６の後縁部から上方に延出する後壁部７と、上記接地部６の前縁部から斜め上方に延出して所定高さで上記後壁部７に連結されるとともに、上記茎部４を挿入保持できる開口部８を設けた前壁部９と、上記後壁部７と上記前壁部９の連結部より上方に延出する背壁部１０とを備えて構成されている。
【００２８】
上記前壁部９には、花瓶状の絵柄が描かれており、花瓶の口に相当する部分に開口部８が形成されている。本実施形態では、図１９に示すように、上記前壁部９及び上記後壁部７の双方を延長させることにより前方背壁部１０ａと後方背壁部１０ｂとを設け、これらを積層して背壁部１０が形成されている。
【００２９】
上記後壁部７と上記前壁部９とは、上記前方背壁部１０ａの下縁から上記開口部８に延出する延出片１１を、上記後壁部７に設けたスリット２２及び２３に差し込むことにより連結されている。また、上記背壁部１０の上部には、上記前方背壁部１０ａ及び上記後方背壁部１０ｂを連通開口することにより、掛止開口部１２が設けられている。上記前方背壁部１０ａから上記掛止開口部１２に延出させた延出部１３を、上記後方背壁部１０ｂから上記掛止開口部１２に延出させた延出部１４に設けたスリット１５に挿入することにより、上記前方背壁部１０ａと上記後方背壁部１０ｂとが積層して連結されている。
【００３０】
上記スタンド２は、一枚の短冊状板紙を折り曲げて形成されるため、組立が容易であるとともに、製造コストを低減させることができる。
【００３１】
上記背壁部１０の背面１６には、図示しないメッセージ記載部１７が設けられており、贈答品等として用いる場合、種々のメッセージを記載することができるように構成されている。また、上記背壁部１０の下縁近傍には、ミシン穴１８が形成されており、上記メッセージ記載部１７を含む背壁部１０を、切り離すことができるように構成されている。これにより、上記背壁部１０をメッセージカードとして利用することもできる。一方、上記背壁部１０を切り離すことにより、スタンド２の安定性が高まる。
【００３２】
図３から図１７に基づいて、上記造花１の形成方法を説明する。
【００３３】
本実施形態に係る造花１を構成する手拭い２０は、縦寸法９１ｃｍ、横寸法３７ｃｍの矩形状の木綿平織り生地から形成されている。また、図３に示すように、手拭い２０は、造花１の各部に対応する模様及び／又は色彩が描かれた複数の領域２１，２２，２３，２４，２５を備えて構成されている。上記各領域は、上記手拭い２０の幅方向に延びる境界３１ａ，３１ｂ，３１ｃ，３１ｄを介して、長手方向に所定幅で配列されている。上記領域は、花弁部３を構成するとともに生花の花弁に対応する模様及び／又は色彩が描かれた第１の花弁部領域２１、第２の花弁部領域２２及び第３の花弁部領域２５と、上記茎部４を構成するとともに生花の茎に対応する模様及び／又は色彩が描かれた茎部領域２３と、花弁部の外周に配置される包装紙に対応する模様及び／又は色彩が描かれた包装紙領域２４とが長手方向に配列されている。なお、各領域の境界は、境界線や、模様及び／又は色彩の明確な境界が存在する必要はなく、模様及び／又は色彩が連続的に変化する遷移部分として認識できるものであればよい。
【００３４】
上記各領域に描かれる模様及び／又は色彩は特に限定されることはなく、必ずしも実際の生花に対応していなくともよい。たとえば、抽象化した花の形態に対応するように描かれていてもよい。さらに、各領域に、異なる模様及び／又は色彩を設けて、造花とした場合に各部の模様及び／又は色彩の相異に基づき美的な効果を有するものであってもよい。上記模様及び／又は色彩を設ける手法も特に限定されることはなく、プリント印刷手法、注染、手捺染等の種々の手法を採用できる。なお、本実施形態では、表裏に同じ模様が付された注染手法により、模様及び／又は色彩が描かれている。
【００３５】
図４から図１７に、上記構成の手拭い２０を折り畳んで造花１を製作する手法を説明する。まず、図４に示すように、端部に形成された第１の花弁領域２１を、端部から約２０ｃｍの位置に設定された境界線３１ａで手前側に折り曲げて重ねる。なお、上記境界線３１ａは、各領域の境界部分に設定した仮想の境界線である。以下の説明における境界線も同様の意味で用いられる。次に、図５に示すように、手拭い２０の上縁部２０ａから約８ｃｍの所を持ち上げ、上記境界線３１ａに向かって折り重ねる。このとき、上記境界線３１ａから１．５ｃｍ下側に折り曲げ線３２が位置するように折り曲げる。上記折り曲げ線の意味も、上記境界線と同様に、折り曲げ基準として仮想的に設定したものである。
【００３６】
次に、図６に示すように、下縁部２０ｂから約６ｃｍの位置に折り曲げ線３３を設定して手前側に折り畳む。そして、図７に示すように、上記折り曲げ線３３を、上方の折り曲げ線３２に向かって折り畳む。このとき、上記折り曲げ線３３が、上記折り曲げ線３２より０．８〜１．０ｃｍ下側に位置するように折り畳む。
【００３７】
次に、上記工程によって折り曲げられた下方の折り曲げ線３４から上方へ２１ｃｍの所を持ち上げて、上方の折り曲げ線３２に向かって折り曲げる。この時、上記持ち上げて折り曲げられる折り曲げ線３５が、上方の折り曲げ線３３から０．８〜１．０ｃｍ下側に位置するように折り曲げる。
【００３８】
さらに、図９及び図１０に示すように、上記工程において生じた下方の折り曲げ線３６を、上方の折り曲げ線３５に向かって折り畳む。このとき、上記折り曲げ線３６が、上方の折り曲げ線３５から１ｃｍ下側に位置するように折り曲げる。これにより、図１１に示す折り畳み体４０が形成される。上記折り畳み体４０は、長手方向寸法が手拭い生地の幅３７ｃｍとなり、高さが約１８ｃｍとなる。
【００３９】
次に、図１１に示す所定間隔で複数の折り畳み線４１を設定し、図１２（ａ）（ｂ）に示すように、上記折り畳み体４０を、手拭いの幅方向に蛇腹状に折り畳む。上記蛇腹の折り畳み線４１は、約２．５ｃｍ間隔に設定される。これにより、図１２（ｂ）に示す蛇腹状の折り畳み体５０が形成される。
【００４０】
次に、図１３（ａ）に示すように、図１２において蛇腹状に折り畳まれた折り畳み体５０の下方を束ねるように持ち、図１３（ｂ）及び図１３（ｃ）に示すように、蛇腹の左右の端部を展開して、折り畳み体５０をくるむようにそれぞれの端部を重ねて巻き付ける。その後、図１４に示すように、上記茎部４の下端部からＨ＝８ｃｍのところをリボンで結束する。この場合、結び目が、図１の示すスタンド２に立設した場合に、造花の背面側となるように設定するのが望ましい。なお、上記結束部位は１箇所に限定されることはなく、複数箇所で結束してもよい。
【００４１】
次に、図１４及び図１５（ａ）（ｂ）に示すように、上記折り畳み体５０の上方の右側端部□（白抜き四角部分）と左側端部■（黒塗り四角部分）とを重合わせ、クリップで留める。クリップで留める部分は、最外周側から３層目までを留めるのが好ましい。
【００４２】
次に、図１６（ａ）（ｂ）に示すように、上方の段付き折り畳み部分を、花の外観形態となるように立体的に整形する。その後、茎部の下端部から約４ｃｍの所をリボンで結束する。
【００４３】
これにより、図１７に示す立体的な花弁部３及び茎部４を備える造花が形成される。また、本実施形態では、花弁部３の最外周部を包装紙部５として構成している。
【００４４】
上記造花１の茎部４を、上述したスタンド２の開口部８に挿入して、図１に示すスタンド２を備える造花１が形成される。
【００４５】
本実施形態に係る造花１は、一枚の手拭い２０を折り畳んで花の外観形状が構成されるのみならず、花の各部に対応する模様及び／又は色彩を備えている。このため、従来のタオル等を折り畳んで形成された造花に比べてより美的な形態を備える造花を形成することができる。しかも、一枚の手拭いのみでカラフルな造花を得ることもできる。
【００４６】
また、手拭いの生地はタオル地に比べて薄いため、精緻な模様及び／又は色彩を付加することができるばかりでなく、精度高く折り畳むことができる。このため、タオルから形成される造花に比べて美的効果の高い造花を得ることができる。
【００４７】
しかも、本実施形態では、造花を形成するための手拭い２０に形成される模様及び／又は色彩は、上記手拭い２０に設けた幅方向の境界３１ａ〜３１ｄによって区画される複数の領域２１，２２，２３，２４，２５から構成されている。すなわち、本実施形態に係る手拭いの絵柄の全体構成は、異なる模様及び／又は色彩を、生地の長手方向に所定幅で配列したものであり、手拭いの絵柄構成としても特異なものではない。このため、折り畳んで造花を構成した場合には、上記模様及び／又は色彩が造花に美的効果を与えるとともに、展開して手拭いとして用いる場合においても、上記模様及び／又は色彩が手拭い自体に美的効果を与えることができる。
【００４８】
また、本実施形態では、上記茎部４を保持するとともに上記造花を立設できるスタンド２を備えて構成している。上記スタンドを付加することにより、上記造花１をテーブル上に立てた状態で載置することが可能となり、贈り物等に好適な造花を構成することができる。
【００４９】
しかも、上記スタンドは、長尺状の板紙を幅方向に延びる折り曲げ線で折り曲げることにより形成されている。このため、製造が容易であり、製造コストも低い。
【００５０】
本願考案は、上述した実施形態に限定されることはない。実施形態で説明した折り曲げ手法は、基本的なものであって、手拭いの寸法や折り曲げ方は、適宜変更することができる。
【００５１】
また、実施形態では、一つの造花を構成する例を示したが、折り畳み手法や、手拭いの模様及び／又は色彩を変更することによって、模様や色彩の異なる複数の花弁部からなる花束形態の造花を形成することができる。また、実施形態では、花弁部の最外周部を包装紙部として構成したが、がく部として構成することもできる。
【００５２】
また、実施形態では、スタンドを備える造花を形成したが、スタンド２を備えない造花であっても所要の効果を得ることができる。さらに、少なくとも上記造花の花弁部を覆うとともに、開口することにより上記花弁部を露出させることができるカバーを備えて構成することもできる。
【産業上の利用可能性】
【００５３】
手拭いを用いて従来にない造花を形成することができる。
【符号の説明】
【００５４】
１    造花
３    花弁部
４    茎部
５    包装紙部
２０    手拭い
【手続補正４】
【補正対象書類名】図面
【補正対象項目名】全図
【補正方法】変更
【補正の内容】
【図１】
0003182273.tif 000022
【図２】
0003182273.tif 000023
【図３】
0003182273.tif 000024
【図４】
0003182273.tif 000025
【図５】
0003182273.tif 000026
【図６】
0003182273.tif 000027
【図７】
0003182273.tif 000028
【図８】
0003182273.tif 000029
【図９】
0003182273.tif 000030
【図１０】
0003182273.tif 000031
【図１１】
0003182273.tif 000032
【図１２】
0003182273.tif 000033
【図１８】
0003182273.tif 000034
【図１９】
0003182273.tif 000035
【図１３】
0003182273.tif 000036
【図１４】
0003182273.tif 000037
【図１５】
0003182273.tif 000038
【図１６】
0003182273.tif 000039
【図１７】
0003182273.tif 000040
【手続補正書】
【提出日】平成25年1月21日(2013.1.21)
【手続補正１】
【補正対象書類名】実用新案登録請求の範囲
【補正対象項目名】全文
【補正方法】変更
【補正の内容】
【実用新案登録請求の範囲】
【請求項１】
矩形状の一枚の手拭いを、所定の形状に折り畳んで形成される造花であって、
上記造花は、花弁部と、この花弁部の下方に延びる茎部とを備えるとともに、
上記造花の各部は、上記手拭いに設けた幅方向の境界によって区画される複数の矩形領域から構成されており、
上記各領域は、上記造花の各部に対応した模様及び／又は色彩を備えて構成されている、造花。
【請求項２】
上記花弁部の外周部に、包装紙部又はがく部を備えるとともに、
上記包装紙部又はがく部は、これに対応する模様及び／又は色彩を設けた上記矩形領域から形成されている、請求項１に記載の造花。
【請求項３】
上記茎部を保持するとともに上記造花を立設できるスタンドを備える、請求項１又は請求項２に記載の造花。
【請求項４】
上記スタンドは、矩形状のシートを幅方向に延びる折れ線に沿って折り曲げて構成されているとともに、
接地部と、
上記接地部の後縁部から上方に延出する後壁部と、
上記接地部の前縁部から斜め上方に延出して所定高さで上記後壁部に連結されるとともに、上記茎部を挿入保持できる開口部を設けた前壁部と、
上記後壁部と上記前壁部の連結部より上方に延出する背壁部とを備えて構成される、請求項３に記載の造花。
【請求項５】
上記背壁部の背面にメッセージ記載部が設けられているとともに、上記背壁部が切離し可能に設けられている、請求項４に記載の造花
【請求項６】
上記手拭いに、模様及び／又は色彩の異なる複数の花弁部領域を設け、
異なる種類の花弁が集合した花束形態を備える、請求項１から請求項５のいずれか１項に記載の造花。
【請求項７】
少なくとも上記造花の花弁部を覆うとともに、
開口することにより、上記花弁部を露出させることができるカバーを備える、請求項１から請求項６のいずれか１項に記載の造花。
【請求項８】
請求項１から請求項７のいずれか１項に記載の造花を形成する手拭いであって、
矩形状手拭いの幅方向に延びる境界によって区画されるとともに、異なる模様及び／又は色彩が描かれた複数の矩形領域を備え、
これら矩形領域が、上記造花の各部を構成するように設定した、手拭い。
【請求項９】
上記矩形領域として、少なくとも、花弁部領域と茎部領域とを備えて構成されている、請求項８に記載の手拭い。
【請求項１０】
上記花弁部の外周に位置するとともに、がく部を構成するがく部領域、又は包装紙を構成する包装紙部を備える、請求項９に記載の手拭い。
【請求項１１】
上記手拭いが、日本手拭いである、請求項８から請求項１０のいずれか１項に記載の手拭い。
【手続補正２】
【補正対象書類名】明細書
【補正対象項目名】全文
【補正方法】変更
【補正の内容】
【考案の詳細な説明】
【技術分野】
【０００１】
本願考案は、造花に関する。詳しくは、一枚の手拭いを折り畳むことにより形成される造花に関する。
【背景技術】
【０００２】
たとえば、手拭いは、汗や、顔や手を洗った後の水を拭ったり、入浴の際に体を洗ったりするために用いられる。日本手拭いは、木綿の平織りの布から形成されており、矩形状に形成されている。
【０００３】
手拭いと同様の用途に用いられるタオルは、表面に糸が飛び出すように織られたタオル地から形成されており、手拭いより大きな厚みを備えている。
【０００４】
手拭いの表面は、タオルに比べて平滑であるため、微細な絵柄や模様を描くことが可能である。このため、タオルと同様の実用的な用途の他に、一種の美術工芸品として取り扱われる場合もある。
【先行技術文献】
【特許文献】
【０００５】
【特許文献１】実用新案登録第３１３０３７１号公報
【考案の開示】
【考案が解決しようとする課題】
【０００６】
上記特許文献１は、花の形に折り畳んだタオルに関するものである。上記特許文献では、四角いタオルに加工を加え、花のかたちに折り曲げてプレゼントとして使用したり、鑑賞用に用いたりできるように構成している。
【０００７】
上述したように、タオルを構成するタオル地は、糸の一部が表面に突出しているため、表面に精緻な模様や絵柄を描くことは困難である。このため、主としてその外観形状を花の形に折り畳むだけのものが多く、見栄えを高めるには、色彩の異なる複数のタオルから形成された花を組み合わせる場合が多い。また、タオル地は本物の花弁に比べて厚みが大きいため、細かな折り畳み手法を採用することもできない。このため、タオル地では、鑑賞用としての造花を製作するのは困難である。
【０００８】
病院の入院患者を和ませるために生花を贈ることが考えられるが、花粉の影響あるいは衛生面において好ましくない場合も多い。また、入院期間は限定されるため、一般的な造花を贈ることも好ましくない。一方、タオル等の消耗品は、入院後にも必要であり、見舞い用の贈答品として喜ばれる。ところが、タオルや手拭いの詰め合わせを贈った場合、嵩張ることが多く、入院生活中には邪魔になる場合も多い。
【０００９】
本願考案は、上記従来の問題を解決し、手拭いを用いて、これまでにない造花を形成することをその課題としている。
【課題を解決するための手段】
【００１０】
本願考案は、矩形状の一枚の手拭いを、所定の形状に折り畳んで形成される造花に関するものである。上記造花は、花弁部と、この花弁の下方に延びる茎部とを備えるとともに、上記造花の各部は、上記手拭いに設けた幅方向の境界によって区画される複数の矩形領域から構成されている。また、上記各矩形領域は、上記造花の各部に対応した模様及び／又は色彩を備えて構成されている。
【００１１】
本願考案は、生地を折り畳んで花の形状としたのみならず、生地自体に造花の各部に対応した模様及び／又は色彩を備えて構成したものである。すなわち、折り畳まれた手拭いは、花の外観形状を備えるのみならず、花の各部に対応する模様及び／又は色彩を備えている。このため、従来のタオル等を折り畳んで形成された造花に比べてより美的な形態を備える造花を形成することができる。しかも、一枚の手拭いでカラフルな造花を得ることができる。
【００１２】
また、手拭いの生地はタオル地に比べて薄いため、精緻な模様及び／又は色彩を付加することができるばかりでなく、細かな折り畳み手法を採用することも可能となる。このため、タオルから形成される造花に比べて美的効果の高い造花を得ることができる。
【００１３】
しかも、本願考案では、造花の各部が、これらに対応する模様及び／又は色彩を備えるとともに、上記手拭いに設けた幅方向の境界によって区画される複数の矩形領域から構成されている。すなわち、本願考案に係る手拭いの絵柄の全体構成は、異なる模様及び／又は色彩を、生地の長手方向に所定幅で配列したものであり、手拭いの絵柄構成としても奇異なものではない。このため、折り畳んで造花を構成した場合には、上記模様及び／又は色彩が造花に美的効果を与える。一方、展開して手拭いとして用いる場合においても、上記模様及び／又は色彩が手拭い自体に美的効果を与える。すなわち、二重の美的効果を備えるとともに、造花を展開した際にも手拭いとしての美観を備えているという意外性も備えているのである。
【００１４】
本願考案に係る造花は、花弁部と、この花弁部の下方に延びる茎部とを備えて構成される。また、これら各部は、上述したように、矩形状手拭いの長手方向に所定幅で形成された各矩形領域から構成される。
【００１５】
上記花弁部は、一つの花に対応した形態に構成することができる。また、上記手拭いに、模様及び／又は色彩の異なる複数の花弁部領域を設け、異なる種類の花弁が集合した花束形態となるように構成することもできる。上記花弁部の外周部に、包装紙部又はがく部を設けることができる。上記茎部は、所定長さを備えて構成されており、紐やバンドによって結束することにより、所定の形態が保持されるように構成するのが望ましい。
【００１６】
本願考案では、上記茎部を保持するとともに上記造花を立設できるスタンドを備えて構成するのが望ましい。上記スタンドを付加することにより、上記造花をテーブル上に立てた状態で載置することが可能となり、贈り物に好適な造花を構成することができる。
【００１７】
たとえば、上記スタンドを、矩形状のシートを幅方向に延びる折れ線に沿って折り曲げて構成するとともに、接地部と、上記接地部の後縁部から上方に延出する後壁部と、上記接地部の前縁部から斜め上方に延出して所定高さで上記後壁部に連結されるとともに、上記茎部を挿入保持できる開口部を設けた前壁部と、上記後壁部と上記前壁部の連結部より上方に延出する背壁部とを備えて構成することができる。
【００１８】
上記形態のスタンドは、長尺状の板紙等を幅方向に延びる折り曲げ線で折り曲げることにより形成することができるため、製造が容易であり、製造コストも低い。上記接地部と上記後壁部と上記前壁部とを平面で形成し、上記スタンドを側面視三角形状に形成することもできるし、上記前壁部に湾曲をつけた形態を採用することもできる。上記前壁部に設けた開口部に造花の茎部を挿入することにより、上記造花を立設して飾ることができる。    
【００１９】
上記スタンドに立設した造花を持ち運んだり移動させるために、上記後壁部と上記前壁部の連結部より上方に延出する背壁部が設けられる。手指やフックに掛止できるように、上記背壁部に掛止開口部を設けるのが好ましい。
【００２０】
上記造花は、贈り物として使用されることも多い。このため、上記背壁部の背面に、種々のメッセージを記載できるメッセージ記載部を設けることができる。さらに、上記背壁部を切離し可能に設けることにより、上記背壁部をメッセージカードとして利用することも可能となる。切離し手法は特に限定されることはないが、ミシン穴等を設けることにより容易に切離し可能とすることができる。
【００２１】
上記造花をそのまま店頭に展示した場合、埃等が付着する恐れがある。このため、少なくとも上記造花の花弁部を覆うとともに、開口することにより上記花弁部を露出させることができるカバーを備えて構成するのが好ましい。たとえば、少なくとも、花弁部を透視できる半透明の不織布やプラスチックフィルムによって覆うとともに、このカバーの前面にミシン穴等を設けて開口し、花弁部を露出させるように構成することができる。
【考案の効果】
【００２２】
手拭いから、これまでにない美的な外観を有する造花を形成することができる。
【図面の簡単な説明】
【００２３】
【図１】本願考案に係る造花をスタンドに立設した状態を示す正面図である。
【図２】図１に示す造花の側面図である。
【図３】図１に示す造花を製作するための手拭いの構成を示す平面図である。
【図４】図３に示す手拭いから造花を製作する手法を示す図である。
【図５】図３に示す手拭いから造花を製作する手法を示す図である。
【図６】図３に示す手拭いから造花を製作する手法を示す図である。
【図７】図３に示す手拭いから造花を製作する手法を示す図である。
【図８】図３に示す手拭いから造花を製作する手法を示す図である。
【図９】図３に示す手拭いから造花を製作する手法を示す図である。
【図１０】図３に示す手拭いから造花を製作する手法を示す図である。
【図１１】図３に示す手拭いから造花を製作する手法を示す図である。
【図１２】図３に示す手拭いから造花を製作する手法を示す図である。
【図１３】図３に示す手拭いから造花を製作する手法を示す図である。
【図１４】図３に示す手拭いから造花を製作する手法を示す図である。
【図１５】図３に示す手拭いから造花を製作する手法を示す図である。
【図１６】図３に示す手拭いから造花を製作する手法を示す図である。
【図１７】造花本体の全体図である。
【図１８】スタンドの全体斜視図である。
【図１９】図１８におけるＸＩＸ−ＸＩＸ線に沿う要部拡大断面図である。
【考案を実施するための形態】
【００２４】
以下、本願考案の実施形態を図に基づいて具体的に説明する。
【００２５】
図１に、本実施形態に係る造花１を示す。図１に示す実施形態では、スタンド２に造花１を立設した例を示す。
【００２６】
図１及び図２に示すように、造花１は、花弁部３と茎部４とを備えて構成されている。また、これらの図には現れていないが、上記花弁部３には、植物の花弁を表す模様及び／又は色彩が付されている。また、上記茎部４には、植物の茎を表す模様及び／又は色彩が付されている。さらに、本実施形態では、上記花弁部３の最外周部には、花弁部３をくるむように包装紙部５が設けられており、包装紙に対応した模様及び／又は色彩が付されている。
【００２７】
上記スタンド２は、図１８及び図１９に示すように、短冊状の板紙シート２００を幅方向に延びる複数の折れ線に沿って折り曲げて構成されているとともに、接地部６と、上記接地部６の後縁部から上方に延出する後壁部７と、上記接地部６の前縁部から斜め上方に延出して所定高さで上記後壁部７に連結されるとともに、上記茎部４を挿入保持できる開口部８を設けた前壁部９と、上記後壁部７と上記前壁部９の連結部より上方に延出する背壁部１０とを備えて構成されている。
【００２８】
上記前壁部９には、花瓶状の絵柄が描かれており、花瓶の口に相当する部分に開口部８が形成されている。本実施形態では、図１９に示すように、上記前壁部９及び上記後壁部７の双方を延長させることにより前方背壁部１０ａと後方背壁部１０ｂとを設け、これらを積層して背壁部１０が形成されている。
【００２９】
上記後壁部７と上記前壁部９とは、上記前方背壁部１０ａの下縁から上記開口部８に延出する延出片１１を、上記後壁部７に設けたスリット２２及び２３に差し込むことにより連結されている。また、上記背壁部１０の上部には、上記前方背壁部１０ａ及び上記後方背壁部１０ｂを連通開口することにより、掛止開口部１２が設けられている。上記前方背壁部１０ａから上記掛止開口部１２に延出させた延出部１３を、上記後方背壁部１０ｂから上記掛止開口部１２に延出させた延出部１４に設けたスリット１５に挿入することにより、上記前方背壁部１０ａと上記後方背壁部１０ｂとが積層して連結されている。
【００３０】
上記スタンド２は、一枚の短冊状板紙を折り曲げて形成されるため、組立が容易であるとともに、製造コストを低減させることができる。
【００３１】
上記背壁部１０の背面１６には、図示しないメッセージ記載部１７が設けられており、贈答品等として用いる場合、種々のメッセージを記載することができるように構成されている。また、上記背壁部１０の下縁近傍には、ミシン穴１８が形成されており、上記メッセージ記載部１７を含む背壁部１０を、切り離すことができるように構成されている。これにより、上記背壁部１０をメッセージカードとして利用することもできる。一方、上記背壁部１０を切り離すことにより、スタンド２の安定性が高まる。
【００３２】
図３から図１７に基づいて、上記造花１の形成方法を説明する。
【００３３】
本実施形態に係る造花１を構成する手拭い２０は、縦寸法９１ｃｍ、横寸法３７ｃｍの矩形状の木綿平織り生地から形成されている。また、図３に示すように、手拭い２０は、造花１の各部に対応する模様及び／又は色彩が描かれた複数の矩形領域２１，２２，２３，２４，２５を備えて構成されている。上記各矩形領域は、上記手拭い２０の幅方向に延びる境界３１ａ，３１ｂ，３１ｃ，３１ｄを介して、長手方向に所定幅で配列されている。上記矩形領域は、花弁部３を構成するとともに生花の花弁に対応する模様及び／又は色彩が描かれた第１の花弁部領域２１、第２の花弁部領域２２及び第３の花弁部領域２５と、上記茎部４を構成するとともに生花の茎に対応する模様及び／又は色彩が描かれた茎部領域２３と、花弁部の外周に配置される包装紙に対応する模様及び／又は色彩が描かれた包装紙領域２４とが長手方向に配列されている。なお、各矩形領域の境界は、境界線や、模様及び／又は色彩の明確な境界が存在する必要はなく、模様及び／又は色彩が連続的に変化する遷移部分として認識できるものであればよい。
【００３４】
上記各矩形領域に描かれる模様及び／又は色彩は特に限定されることはなく、必ずしも実際の生花に対応していなくともよい。たとえば、抽象化した花の形態に対応するように描かれていてもよい。さらに、各矩形領域に、異なる模様及び／又は色彩を設けて、造花とした場合に各部の模様及び／又は色彩の相異に基づき美的な効果を有するものであってもよい。上記模様及び／又は色彩を設ける手法も特に限定されることはなく、プリント印刷手法、注染、手捺染等の種々の手法を採用できる。なお、本実施形態では、表裏に同じ模様が付された注染手法により、模様及び／又は色彩が描かれている。
【００３５】
図４から図１７に、上記構成の手拭い２０を折り畳んで造花１を製作する手法を説明する。まず、図４に示すように、端部に形成された第１の花弁領域２１を、端部から約２０ｃｍの位置に設定された境界線３１ａで手前側に折り曲げて重ねる。なお、上記境界線３１ａは、各矩形領域の境界部分に設定した仮想の境界線である。以下の説明における境界線も同様の意味で用いられる。次に、図５に示すように、手拭い２０の上縁部２０ａから約８ｃｍの所を持ち上げ、上記境界線３１ａに向かって折り重ねる。このとき、上記境界線３１ａから１．５ｃｍ下側に折り曲げ線３２が位置するように折り曲げる。上記折り曲げ線の意味も、上記境界線と同様に、折り曲げ基準として仮想的に設定したものである。
【００３６】
次に、図６に示すように、下縁部２０ｂから約６ｃｍの位置に折り曲げ線３３を設定して手前側に折り畳む。そして、図７に示すように、上記折り曲げ線３３を、上方の折り曲げ線３２に向かって折り畳む。このとき、上記折り曲げ線３３が、上記折り曲げ線３２より０．８〜１．０ｃｍ下側に位置するように折り畳む。
【００３７】
次に、上記工程によって折り曲げられた下方の折り曲げ線３４から上方へ２１ｃｍの所を持ち上げて、上方の折り曲げ線３２に向かって折り曲げる。この時、上記持ち上げて折り曲げられる折り曲げ線３５が、上方の折り曲げ線３３から０．８〜１．０ｃｍ下側に位置するように折り曲げる。
【００３８】
さらに、図９及び図１０に示すように、上記工程において生じた下方の折り曲げ線３６を、上方の折り曲げ線３５に向かって折り畳む。このとき、上記折り曲げ線３６が、上方の折り曲げ線３５から１ｃｍ下側に位置するように折り曲げる。これにより、図１１に示す折り畳み体４０が形成される。上記折り畳み体４０は、長手方向寸法が手拭い生地の幅３７ｃｍとなり、高さが約１８ｃｍとなる。
【００３９】
次に、図１１に示す所定間隔で複数の折り畳み線４１を設定し、図１２（ａ）（ｂ）に示すように、上記折り畳み体４０を、手拭いの幅方向に蛇腹状に折り畳む。上記蛇腹の折り畳み線４１は、約２．５ｃｍ間隔に設定される。これにより、図１２（ｂ）に示す蛇腹状の折り畳み体５０が形成される。
【００４０】
次に、図１３（ａ）に示すように、図１２において蛇腹状に折り畳まれた折り畳み体５０の下方を束ねるように持ち、図１３（ｂ）及び図１３（ｃ）に示すように、蛇腹の左右の端部を展開して、折り畳み体５０をくるむようにそれぞれの端部を重ねて巻き付ける。その後、図１４に示すように、上記茎部４の下端部からＨ＝８ｃｍのところをリボンで結束する。この場合、結び目が、図１の示すスタンド２に立設した場合に、造花の背面側となるように設定するのが望ましい。なお、上記結束部位は１箇所に限定されることはなく、複数箇所で結束してもよい。
【００４１】
次に、図１４及び図１５（ａ）（ｂ）に示すように、上記折り畳み体５０の上方の右側端部□（白抜き四角部分）と左側端部■（黒塗り四角部分）とを重合わせ、クリップで留める。クリップで留める部分は、最外周側から３層目までを留めるのが好ましい。
【００４２】
次に、図１６（ａ）（ｂ）に示すように、上方の段付き折り畳み部分を、花の外観形態となるように立体的に整形する。その後、茎部の下端部から約４ｃｍの所をリボンで結束する。
【００４３】
これにより、図１７に示す立体的な花弁部３及び茎部４を備える造花が形成される。また、本実施形態では、花弁部３の最外周部を包装紙部５として構成している。
【００４４】
上記造花１の茎部４を、上述したスタンド２の開口部８に挿入して、図１に示すスタンド２を備える造花１が形成される。
【００４５】
本実施形態に係る造花１は、一枚の手拭い２０を折り畳んで花の外観形状が構成されるのみならず、花の各部に対応する模様及び／又は色彩を備えている。このため、従来のタオル等を折り畳んで形成された造花に比べてより美的な形態を備える造花を形成することができる。しかも、一枚の手拭いのみでカラフルな造花を得ることもできる。
【００４６】
また、手拭いの生地はタオル地に比べて薄いため、精緻な模様及び／又は色彩を付加することができるばかりでなく、精度高く折り畳むことができる。このため、タオルから形成される造花に比べて美的効果の高い造花を得ることができる。
【００４７】
しかも、本実施形態では、造花を形成するための手拭い２０に形成される模様及び／又は色彩は、上記手拭い２０に設けた幅方向の境界３１ａ〜３１ｄによって区画される複数の矩形領域２１，２２，２３，２４，２５から構成されている。すなわち、本実施形態に係る手拭いの絵柄の全体構成は、異なる模様及び／又は色彩を、生地の長手方向に所定幅で配列したものであり、手拭いの絵柄構成としても特異なものではない。このため、折り畳んで造花を構成した場合には、上記模様及び／又は色彩が造花に美的効果を与えるとともに、展開して手拭いとして用いる場合においても、上記模様及び／又は色彩が手拭い自体に美的効果を与えることができる。
【００４８】
また、本実施形態では、上記茎部４を保持するとともに上記造花を立設できるスタンド２を備えて構成している。上記スタンドを付加することにより、上記造花１をテーブル上に立てた状態で載置することが可能となり、贈り物等に好適な造花を構成することができる。
【００４９】
しかも、上記スタンドは、長尺状の板紙を幅方向に延びる折り曲げ線で折り曲げることにより形成されている。このため、製造が容易であり、製造コストも低い。
【００５０】
本願考案は、上述した実施形態に限定されることはない。実施形態で説明した折り曲げ手法は、基本的なものであって、手拭いの寸法や折り曲げ方は、適宜変更することができる。
【００５１】
また、実施形態では、一つの造花を構成する例を示したが、折り畳み手法や、手拭いの模様及び／又は色彩を変更することによって、模様や色彩の異なる複数の花弁部からなる花束形態の造花を形成することができる。また、実施形態では、花弁部の最外周部を包装紙部として構成したが、がく部として構成することもできる。
【００５２】
また、実施形態では、スタンドを備える造花を形成したが、スタンド２を備えない造花であっても所要の効果を得ることができる。さらに、少なくとも上記造花の花弁部を覆うとともに、開口することにより上記花弁部を露出させることができるカバーを備えて構成することもできる。
【産業上の利用可能性】
【００５３】
手拭いを用いて従来にない造花を形成することができる。
【符号の説明】
【００５４】
１    造花
３    花弁部
４    茎部
５    包装紙部
２０    手拭い